(57)【特許請求の範囲】
【請求項１】
２次元表示器を用いたペーパーレスレコーダにおいて、
表示画面領域は画面の切り替えに応じた所定の画面を表示する画面切替領域とこの画面切替領域がどのような画面に切り替えられても常に装置全体の共通情報を表示する共通情報領域に分割され、
前記画面切替領域の表示画面は、単一画面を表示する単一画面モードと、表示画面領域を複数領域に分割して各領域毎に所望の画面を設定しこれら複数画面を同時に表示する複数画面モードとが選択できるように構成され、
前記共通情報領域には、前記画面切替領域に表示される画面の名称、表示用メモリおよび測定データ用メモリの使用量をそれぞれ個別に示すバーグラフ、表示用メモリに取り込み可能な残り時間、装置に装着されている外部メモリの種別とその使用量を示すアイコン、演算処理中を知らせるアイコン、アラーム発生の有無を知らせるアイコンの少なくともいずれかを表示することを特徴とするペーパーレスレコーダ。
【請求項２】
前記画面切替領域の表示画面の一部に、画面切替領域の画面操作に関連した複数の選択対象項目を一覧表示する選択項目表示領域を必要に応じて選択的に表示させるように構成したことを特徴とする請求項１記載のペーパーレスレコーダ。
【請求項３】
選択項目表示領域に表示される選択対象項目を選択操作することにより、分割された各領域毎に設定する複数画面の組み合わせをそれぞれ組み合わせデータとして格納するとともに、これら組み合わせデータを読み出して所定の複数画面の組み合わせで表示することを特徴とする請求項２記載のペーパーレスレコーダ。
【請求項４】
時刻に応じて所定の組み合わせデータを読み出して所定の複数画面の組み合わせで表示することを特徴とする請求項３記載のペーパーレスレコーダ。
【請求項５】
測定信号の変化に基づき所定の組み合わせデータを読み出して所定の複数画面の組み合わせで表示することを特徴とする請求項３記載のペーパーレスレコーダ。
【請求項６】
外部信号に基づき所定の組み合わせデータを読み出して所定の複数画面の組み合わせで表示することを特徴とする請求項３記載のペーパーレスレコーダ。
【発明の詳細な説明】
【０００１】
【発明の属する技術分野】
本発明は２次元表示器を用いたペーパーレスレコーダに関し、詳しくは表示画面の改善に関するものである。
【０００２】
【従来の技術】
従来から、レコーダは、加熱冷却処理工程の温度履歴管理、発電機タービンの運転状態監視、気象測定などの各種の分野において、温度・圧力・ガス成分などの各種の物理量をそれぞれの測定対象に適合した測定センサで電圧や電流の電気信号に変換し、これら変換された電気信号の測定時間の経過に伴う変化の状態を記録紙上に線分の変化として記録する装置として広く用いられている。
【０００３】
ところが、このような従来のレコーダは、各構成ブロックはマイクロプロセッサでデジタル的に制御しているものの、測定信号の変化波形や測定条件に関連した文字データなどを、記録紙上に記録するように構成されている。
【０００４】
すなわち、従来のレコーダでは、記録ペン、サーボ機構、記録紙送り機構などの可動機構部品が必要であり、構成が複雑化するという問題点がある。
また、これらの機械的構成要素の磨耗などの経時変化によって記録動作が不安定になることを防止するために高性能部品・材料を採用しなければならないという問題もある。
また、記録ペンや記録紙などの消耗品がなくなると記録が中断してしまい、連続測定性が損なわれてしまう。
そして、これら消耗品の補充保守交換に伴って工数とコストが発生するという問題もある。
また、測定結果をコンピュータ処理したい場合には記録紙上の記録結果を改めてデジタルデータとして読み取って入力しなければならず、現実的ではない。
【０００５】
そこで、これらの諸問題を解決するものとして、記録紙の代わりに２次元表示器を用いた例えば特開平１０−２５３４０１号公報に開示されているようなペーパーレスレコーダが実用化されている。
これは液晶表示器のような２次元表示器を記録紙に見立てて測定信号の変化状況をグラフ的に表示するように構成されたものであって、概念的には測定信号をデジタル化してメモリに格納し、このメモリに格納された測定データを読み出して測定時間の経過に伴う変化の状態を２次元表示器にグラフ的にスクロール表示する。
【０００６】
具体的には、複数測定系統の測定信号を例えばサンプリング周期ＴＳでデジタル化してメモリに格納し、このメモリに格納された測定データを各測定系統毎に表示周期ＴＤ（＞ＴＳ）で順次読み出しその表示周期ＴＤ内の測定データの最大値と最小値を各測定系統毎に線分として２次元表示器にグラフ的に表示するように構成されている。これにより、従来のレコーダにおける記録紙に起因する不都合は解消されたといえる。
【０００７】
図１０は２次元表示器を用いた従来のペーパーレスレコーダの表示画面例であり、表示モードとして「トレンド」が選択されている表示例を示している。
図において、表示画面１は、上下方向に沿って上部領域２と中央領域３と下部領域４の３つの領域に分割されている。
【０００８】
上部領域２は、３個所の測定値をデジタル表示するように３分割されている。中央領域３には、設定される表示モードに応じて、「リスト画面」や「トレンド画面」や「設定画面」などが１つだけ表示される。下部領域４は、上部領域２と同様に３個所の測定値をデジタル表示するデジタル表示部として機能するとともに設定される表示モードに応じて「操作情報表示部」としても機能するが、図３の例では中央領域３に「トレンド画面」を表示し、下部領域４も上部領域２と同様に測定値をデジタル表示する例を示している。
【０００９】
【発明が解決しようとする課題】
ところで、前述のように温度・圧力・ガス成分などの各種の物理量を同時に測定する場合など測定用途によっては、トレンド表示やバーグラフ表示や警報発生状態表示などの表示形態の異なる複数の画面を同時に監視したいことがある。
しかし、２次元表示器を用いた現状のペーパーレスレコーダでは同時に表示できる画面は１つのみであり、必要に応じて所望の表示形態画面に切り替え選択しなければならず、不便である。
本発明は、このような従来のペーパーレスレコーダの問題点に着目したものであって、その目的は、必要に応じて複数の画面を同時に表示できるペーパーレスレコーダを提供することにある。
【００１０】
【課題を解決するための手段】
このような目的を達成するために、本発明のうちで請求項１記載の発明は、２次元表示器を用いたペーパーレスレコーダにおいて、表示画面領域は画面の切り替えに応じた所定の画面を表示する画面切替領域とこの画面切替領域がどのような画面に切り替えられても常に装置全体の共通情報を表示する共通情報領域に分割され、
前記画面切替領域の表示画面は、単一画面を表示する単一画面モードと、表示画面領域を複数領域に分割して各領域毎に所望の画面を設定しこれら複数画面を同時に表示する複数画面モードとが選択できるように構成され、
前記共通情報領域には、前記画面切替領域に表示される画面の名称、表示用メモリおよび測定データ用メモリの使用量をそれぞれ個別に示すバーグラフ、表示用メモリに取り込み可能な残り時間、装置に装着されている外部メモリの種別とその使用量を示すアイコン、演算処理中を知らせるアイコン、アラーム発生の有無を知らせるアイコンの少なくともいずれかを表示することを特徴とする。
これによれば、レコーダの表示画面モードを、測定状況の変化に応じた適切なものに選択設定できる。
【００１１】
本発明のうちで請求項２記載の発明は、請求項１記載のペーパーレスレコーダにおいて、前記画面切替領域の表示画面の一部に、画面切替領域の画面操作に関連した複数の選択対象項目を一覧表示する選択項目表示領域を必要に応じて選択的に表示させるように構成したことを特徴とする。
【００１２】
本発明のうちで請求項３記載の発明は、請求項２記載のペーパーレスレコーダにおいて、選択項目表示領域に表示される選択対象項目を選択操作することにより、分割された各領域毎に設定する複数画面の組み合わせをそれぞれ組み合わせデータとして格納するとともに、これら組み合わせデータを読み出して所定の複数画面の組み合わせで表示することを特徴とする。
これにより、測定用途に応じた適切な表示形態の複数の画面の組み合わせを、必要に応じて読み出すことにより容易に設定できる。
【００１３】
本発明のうちで請求項４記載の発明は、請求項３記載のペーパーレスレコーダにおいて、時刻に応じて所定の組み合わせデータを読み出して所定の複数画面の組み合わせで表示することを特徴とする。
これにより、交代制勤務などに適した測定環境が容易に構築できる。
【００１４】
本発明のうちで請求項５記載の発明は、請求項３記載のペーパーレスレコーダにおいて、測定信号の変化に基づき所定の組み合わせデータを読み出して所定の複数画面の組み合わせで表示することを特徴とする。
これにより、測定信号の変化を、人手を介することなくその変化に最適な画面の組み合わせに自動的に切り替えて観測できる。
【００１５】
本発明のうちで請求項６記載の発明は、請求項３記載のペーパーレスレコーダにおいて、外部信号に基づき所定の組み合わせデータを読み出して所定の複数画面の組み合わせで表示することを特徴とする。
これによれば、複数画面の組み合わせを一連のシーケンスとして自動的に切り替えながら自動測定が行える。
【００１７】
【発明の実施の形態】
以下、本発明の実施の形態を図により説明する。
図１は本発明に基づくペーパーレスレコーダの表示画面の具体例図であり、単一画面モードでグループ１の測定データをデジタル表示している例を示している。
図において、表示画面１１は、上部領域１２と下部領域１３との２つの領域に分割されている。上部領域１２は、下部領域１３がどのような画面に切り替えられても常に装置全体の共通情報を表示する。下部領域１３は、画面の切り替えに応じた所定の画面を表示するとともに、その一部（図１では左側）には画面操作に関連した複数の選択対象項目を必要なときに選択的に一覧表示する選択項目表示領域１４を設けている。
【００１８】
このような表示画面１１の下部には、設定操作用の上・下・左・右・確定が割り付けられた５個の操作キー１５〜１９や、複数のファンクションキーを含むキーパネル部２０が設けられている。
【００１９】
これら５個の操作キー１５〜１９は、確定キー１９を囲むようにして４個の上下左右キー１５〜１８が配置されている。
【００２０】
複数のキーを含むキーパネル部２０は、通常図示しない開閉可能なカバーで覆われていて、キー操作が必要な場合にのみカバーを開いてキーパネル部２０を露出させて所定のキーを操作するように構成されている。
【００２１】
なお、これら５個の操作キー１５〜１９は、表示画面の一部に従来と同様なソフトキーとして組み込んでもよい。
【００２２】
図１の表示画面の詳細を説明する。
上部領域１２には、下部領域１３に表示されている画面の名称（本実施例ではデジタル画面の第１グループ）、現在の年月日時刻、表示用メモリおよび測定データ用メモリの使用量をそれぞれ個別に示すバーグラフ、表示用メモリに取り込み可能な残り時間、装置に装着されている外部メモリの種別（本実施例ではフロッピーディスク）とその使用量を示すアイコン、演算処理中を知らせるアイコン、キーロックを示すアイコン、アラーム発生の有無を知らせるアイコンなどを表示する。
【００２３】
下部領域１３において、本実施例のように第１グループのデジタル画面が選択された状態では、各測定系統（最大１０系統）の測定値や警報状態などがデジタル表示される。
【００２４】
選択項目表示領域１４は、前述のように必要なときに選択的に画面操作に関連した複数の選択対象項目を一覧表示するものであり、通常の測定状態では表示されず、確定キー１９を操作することにより表示される。選択項目としては、文字列およびアイコンで示すように、エスケープ、トレンド、デジタル、バー（グラフ）、オーバービュー、インフォメーション、トレンドヒストリー、４パネルの８項目がある。これら８項目のうち、トレンド、デジタル、バーグラフ、インフォメーション、４パネルの５項目には右方向の三角マークが付けられていて、それらの選択項目が階層化されていることを示している。本実施例の場合、選択項目「４パネル」では、次の階層において、予め設定登録されている４画面の組み合わせ「ＭＩＸ」，「ＡＬＬ  ＴＲＥＮＤ」，「ＡＬＬ  ＤＩＧＩＴＡＬ」，「ＡＬＬ  ＢＡＲ」を選択する。
【００２５】
図２はこのような選択項目に基づく画面操作処理の流れの概念を示すフローチャートである。はじめにキー検出処理が実行され（ステップＳＴ１）、続いて選択項目表示領域１４の有無が判断される（ステップＳＴ２）。選択項目表示領域１４が表示されていない状態で確定キー１９を操作することにより選択項目表示領域作成処理が実行され（ステップＳＴ３）、選択項目表示領域１４が表示される。選択項目表示領域１４が表示されている状態で、上下左右のキー１５〜１８により画面選択処理が実行される（ステップＳＴ４）。選択項目表示領域１４が表示されている状態で確定キー１９を操作することにより選択項目表示領域消去処理が実行されて（ステップＳＴ５）選択項目表示領域１４が消去され、続いて画面変更処理が実行されて（ステップＳＴ６）一連の画面操作処理は終了する。
【００２６】
なお、図１においてデジタル画面のみが表示され選択項目表示領域１４が表示されていない場合には、上下キー１５，１６を操作することにより表示画面の種類を順次トレンド、デジタル、バーグラフに切り替えることができ、左右キー１７，１８を操作することにより各表示画面の表示モードで表示対象グループを順次切り替えることができる。
【００２７】
図３は本発明に基づくペーパーレスレコーダの表示画面の他の具体例図であり、表示形態の異なる４つの画面を組み合わせた複数画面モードの例を示している。
図において、上部領域１２には、下部領域１３に表示されている画面の名称（本実施例では表示形態が混合された複数画面を表わすＭＩＸ）、現在の年月日時刻、表示用メモリおよび測定データ用メモリの使用量をそれぞれ個別に示すバーグラフ、表示用メモリに取り込み可能な残り時間、演算処理中を知らせるアイコン、アラーム発生の有無を知らせるアイコンを表示している。
【００２８】
下部領域１３は、左上・右上・左下・右下の４つの領域に等分割されていて、これら各領域には所望の表示形態画面を任意に割り当てることができる。本実施例では、左上領域には第１グループのデジタル画面、右上領域にはオーバービュー画面、左下領域には第１グループのバーグラフ画面、右下領域には第１グループのトレンド画面を割り当てて同時表示させる例を示している。これら４つの画面は、それぞれの表示形態で連動しながら測定値の変化状態を逐次表示する。なお、４分割された各画面の上部にはタイトルバーが設けられていて、操作対象として選択した画面のタイトルバーを反転表示させるようになっている。図３ではいずれの画面も選択されていない状態を示している。
【００２９】
各領域への任意画面の割り当て変更および組み合わせ変更画面の格納は、以下のようなシーケンスで行う。なお、以下の説明は図３の複数画面表示モードの右上画面「ＯＶＥＲＶＩＥＷ」をＩＮＦＯＲＭＡＴＩＯＮ項目の「ＡＬＡＲＭ  ＳＵＭＭＡＲＹ」に変更し、これらの組み合わせに「ＡＬＡＲＭ」という名前を付けて格納して呼び出せるようにする例である。
【００３０】
１）４画面表示状態で確定キー１９を押して操作対象領域選択モードに入り、上下左右キー１５〜１８を使って、操作の対象となる所望領域のタイトルバーの表示を反転表示させる。図４では、右上画面を操作対象領域としてタイトルバー「ＯＶＥＲＶＩＥＷ」を反転表示させている。
【００３１】
２）所望の操作対象領域のタイトルバーの表示が反転したら確定キー１９を押して選択項目表示領域１４を表示させ、上下左右キー１５〜１８を使って選択項目表示領域１４の選択項目から希望の項目を選択する。図４では、ＩＮＦＯＲＭＡＴＩＯＮ項目の中の「ＡＬＡＲＭ  ＳＵＭＭＡＲＹ」を選択している。
【００３２】
３）希望する画面を選択したら確定キー１９を押して画面選択を確定する。これにより、所望の操作対象領域の画面は選択確定した希望の画面に切り替わる。図５では、右上領域の画面が「ＡＬＡＲＭ  ＳＵＭＭＡＲＹ」に切り替わっている。
【００３３】
このようにして任意に設定した複数画面の組合わせは、名前をつけて保存することにより、必要に応じて呼び出してその組み合わせ画面を表示させることができ、次回からの画面の組み合わせ設定作業を省略できる。
その操作シーケンスを以下に説明する。
【００３４】
１）キーパネル部２０のＦＵＮＣキーを押して画面下部にキーパネル部２０のファンクションキーに対応した複数のソフトキーを表示させ、これらのうちの「ＮＥＸＴ」および「４ＰＡＮＥＬ」に対応したファンクションキーを操作して図６に示すような組み合わせ名前保存リスト２１と複数の名前変更対象選択用ソフトキー２２（図６では４個）を表示させる。図６は４通りの組み合わせを保存格納できる例であるが、これに限るものではない。
【００３５】
２）ここでは、１番目に格納されている名前「ＭＩＸ」を「ＡＬＡＲＭ」に変更するので、ソフトキー２２のうちの「４Ｐａｎｅｌ  １」に対応したファンクションキーを操作する。これにより、図７に示すように、下部領域１３の一角に名前入力画面２３が表示される。そこで、変更したい名前を文字記号入力用に割り当てられた複数のキーを順次操作して「ＡＬＡＲＭ」と入力する。
【００３６】
３）入力が完了したら確定キー１９を押して名前変更を確定させる。本実施例の場合、図６の組み合わせ名前保存リスト２１の１番目の名前は「ＡＬＡＲＭ」に変更される。図８では、上部領域１２の画面名称が、図７の「ＭＩＸ」から「ＡＬＡＲＭ」に切り替わっている。これにより、次回からは、組み合わせ名前保存リスト２１の１番目を選択することにより、図８の組み合わせ画面「ＡＬＡＲＭ」を表示させることができる。
【００３７】
このようにして保存した組み合わせ画面は、通信コマンドや外部接点入力などで呼び出すことができるので、入力や測定対象の変化を検出したときに自動的に最適な画面の組み合わせに変更設定することもできる。
【００３８】
また、予め設定した時間になったら所定の組み合わせの画面を呼び出すようにすることにより、交代制勤務などで担当者が代わる場合に、自動的に各担当者用の測定画面に切り替えるようにすることもできる。
【００３９】
図９は複数画面の表示処理の流れの概念を示すフローチャートである。複数画面表示モードが指定されると、分割された各領域に設定された画面情報の読み込み処理が実行され（ステップＳＴ１）、続いて読み込まれた画面の画面表示処理が実行される（ステップＳＴ２）。これらステップＳＴ１，ＳＴ２の処理は設定された４つの画面の表示が完了するまで繰り返して実行されて（ステップＳＴ３）、複数画面の表示処理は終了する。
【００４０】
【発明の効果】
以上説明したように、本発明のうち請求項１記載の発明によれば、２次元表示器を用いたペーパーレスレコーダにおいて、表示画面領域に単一画面を表示する単一画面モードと、表示画面領域を複数領域に分割して各領域毎に所望の画面を設定しこれら複数画面を同時に表示する複数画面モードとが選択できるように構成したので、レコーダの表示画面モードを測定状況の変化に応じた適切なものに選択設定することにより、効率のよい測定作業が遂行できる。
【００４１】
本発明のうち請求項２記載の発明によれば、請求項１記載のペーパーレスレコーダにおいて、これら画面操作に関連した複数の選択対象項目を一覧表示する選択項目表示領域を必要に応じて選択的に表示させるように構成し、請求項３記載の発明によれば、請求項２記載のペーパーレスレコーダにおいて、選択項目表示領域に表示される選択対象項目を選択操作することにより分割された各領域毎に設定する複数画面の組み合わせをそれぞれ組み合わせデータとして格納するとともに、これら組み合わせデータを読み出して所定の複数画面の組み合わせで表示することができるので、測定用途に応じた適切な表示形態の複数の画面の組み合わせ工数を削減できる。
【００４２】
本発明のうちで請求項４記載の発明によれば、請求項３記載のペーパーレスレコーダにおいて、時刻に応じて所定の組み合わせデータを読み出して所定の複数画面の組み合わせで表示できるので、交代制勤務などに適した測定環境が容易に構築できる。
【００４３】
本発明のうちで請求項５記載の発明によれば、請求項３記載のペーパーレスレコーダにおいて、測定信号の変化に基づき所定の組み合わせデータを読み出して所定の複数画面の組み合わせで表示できるので、測定信号の変化を、人手を介することなくその変化に最適な画面の組み合わせに自動的に切り替えて観測できる。例えば、通常はデジタル単一画面にしておき、測定値が警報設定値を超えた場合にはトレンド表示を含む複数画面に切り替えるようにすることで、警報発生の経過をトレンド表示から視覚的に把握できる。
【００４４】
本発明のうちで請求項６記載の発明によれば、請求項３記載のペーパーレスレコーダにおいて、外部信号に基づき所定の組み合わせデータを読み出して所定の複数画面の組み合わせで表示できるので、複数画面の組み合わせを一連のシーケンスとして自動的に切り替えながら自動測定が行える。
【図面の簡単な説明】
【図１】本発明のペーパーレスレコーダの表示画面の一形態例図である。
【図２】本発明のペーパーレスレコーダにおける選択項目に基づく画面操作処理の流れの概念を示すフローチャートである。
【図３】本発明のペーパーレスレコーダの表示画面の他の形態例図である。
【図４】本発明のペーパーレスレコーダの表示画面の他の形態例図である。
【図５】本発明のペーパーレスレコーダの表示画面の他の形態例図である。
【図６】本発明のペーパーレスレコーダの表示画面の一形態例図である。
【図７】本発明のペーパーレスレコーダの表示画面の他の形態例図である。
【図８】本発明のペーパーレスレコーダの表示画面の他の形態例図である。
【図９】本発明のペーパーレスレコーダにおける４画面処理の流れの概念を示すフローチャートである。
【図１０】従来の表示画面例図である。
【符号の説明】
１１    表示画面
１２    上部領域
１３    下部領域
１４    選択項目表示領域
１５    上キー
１６    下キー
１７    左キー
１８    右キー
１９    確定キー
２０    キーパネル部
２１    組み合わせ名前保存リスト
２２    ソフトキー
【図１】
0003619932.tif 000002
【図２】
0003619932.tif 000003
【図３】
0003619932.tif 000004
【図４】
0003619932.tif 000005
【図５】
0003619932.tif 000006
【図６】
0003619932.tif 000007
【図７】
0003619932.tif 000008
【図８】
0003619932.tif 000009
【図９】
0003619932.tif 000010
【図１０】
0003619932.tif 000011